(57)【要約】【課題】多数の電路負荷機器を制御できる制御装置を収納できる配電盤を最少の電源導体で低い高さで構成できる遮断器取付ユニット及びこの遮断器取付ユニットを取り付けた配電盤を提供する。【解決手段】遮断器取付ユニット１は，ベース９と，ベース９の底部に取り付けられた三相分一組の３個の主分岐導体１１と，差込式接触子１２と，回路遮断器２の電源側端子５と接触する電源側のベース端子３，一端が主分岐導体１１に接続され他端がベース９の表面に位置しベース端子３が取り付けられた従分岐導体１３，負荷側端子６と接触する負荷側のベース端子４，ベース端子４が取り付けられ端子ねじ１４を有する端子板１５，配電盤の電源導体２０が入り込むスリット１７ａを有する絶縁カバー１７を備え，回路遮断器２は左右に複数並べて取り付けできる。【選択図】  図３
2004312837.tif 000002
【特許請求の範囲】
【請求項１】
ベース部材と，上下方向に延び左右方向に並んだ一組の電源導体に差込接続可能な前記ベース部材の背面に設けられた一組の差込式接触子と，左右方向に並べて配置される複数台の回路遮断器の端子と接続する前記ベース部材の表面に設けられたベース端子と，前記一組の差込式接触子と前記ベース端子を接続する分岐導体を設けたことを特徴とする遮断器取付ユニット。
【請求項２】
前記ベース端子はプラグイン接続方式の前記回路遮断器の固定側端子であることを特徴とする請求項１の遮断器取付ユニット。
【請求項３】
奥に縦方向に延びる前記電源導体を備え，複数台の請求項１又は請求項２の遮断器取付ユニットを前記電源導体に沿って取り付けたことを特徴とする配電盤。
【請求項４】
前記回路遮断器は，絶縁材料製の筐体の内部に前記回路遮断器の開閉接触子を開閉操作する電磁石及び過電流が流れたとき自動的に前記開閉接触子を開路する過電流保護機能を収納したことを特徴とする請求項３の配電盤。
【発明の詳細な説明】
【０００１】
【発明の属する技術分野】
本発明は，複数の回路遮断器を取り付けることができる遮断器取付ユニットとこのユニットを取り付けた配電盤に関する。
【０００２】
【従来の技術】
配電盤には，モータコントロールセンタや集中起動器盤などのように，電動機などの電路負荷機器を制御するための電路制御ユニットを電路負荷機器ごとに複数配置したものがある。このような配電盤が実開平０２−０８４２４５号公報に開示されている。この配電盤は，上下方向に配置された複数の電路制御ユニットを有し，配電盤の内部の奥側に設けられた上下方向に延びる三相一組の帯板状の電源導体に各電路制御ユニットが接続された構成となっている。このような電路制御ユニットは，保守点検のため容易に取り外せるように背面に差込端子を備え，電源導体にプラグイン方式で差し込んで接続する構造になっている。この従来の配電盤の電路制御ユニットは，ユニットごとに回路遮断器，電磁開閉器，過電流継電器などを備える必要があったため構造が複雑で配電盤自体が大きくなるという問題があった。
【０００３】
【特許文献１】実開平０２−０８４２４５号公報
【０００４】
【発明が解決しようとする課題】
このような問題を解決するため，電路制御ユニットの機能を小さい筐体に収納した回路遮断器が特開平２−１３６０７９号公報や特開平０４−０７５２２７号公報に開示されている。これらの回路遮断器は，内部に開閉接触子を含み，この開閉接触子を操作する電磁石，過電流が流れたとき開閉接触子を開離させる過電流引外し装置などを内蔵している。このような回路遮断器を利用した配電盤は構造が簡単となり幅寸法を小さくできるが，電源導体に沿って複数の回路遮断器を上方から下方へ１台ずつ配置する必要があったため，多数の電路負荷機器を制御できるようにするためには，配電盤の高さが高くなるという問題があった。また，高さを制限するため複数の回路遮断器を２列や３列に左右方向に配置することも可能であるが，この場合は電源導体を複数セット用意しなければならないという問題があった。
したがって，本願発明は，多数の電路負荷機器の制御装置を装着できる配電盤を最少の電源導体で高さを高くすることなく構成できる遮断器取付ユニットを提供するとともにこの遮断器取付ユニットを装着した配電盤を提供することを目的とする。
【０００５】
【課題を解決するための手段】
上記の課題を解決するために，請求項１の発明は，ベース部材と，上下方向に延び左右方向に並んだ一組の電源導体に差込接続可能な前記ベース部材の背面に設けられた一組の差込式接触子と，左右方向に並べて配置される複数台の回路遮断器の端子と接続するベース部材の表面に設けられたベース端子と，一組の差込式接触子とベース端子を接続する分岐導体を設けた遮断器取付ユニットを構成することとしている。このような構成により，一組の電源導体に対して回路遮断器１台分の高さのスペースに複数台の遮断器を左右方向に配置できるため，高さの低い配電盤を構成できる。
【０００６】
請求項２の発明は，請求項１の発明において、ベース端子はプラグイン接続方式の回路遮断器の固定側端子であることととしているため、遮断器の取替えを，取り替える回路以外の回路を停電することなく実施できる。
【０００７】
請求項３の発明は，奥に縦方向に延びる電源導体を備え，複数台の請求項１又は請求項２の遮断器取付ユニットを電源導体に沿って取り付けた配電盤を構成することとしているため、少ない電源導体で多数の回路遮断器を装着できる高さの低い配電盤を提供できる。
【０００８】
請求項４の発明は，請求項３の配電盤において、回路遮断器は，絶縁材料製の筐体の内部に回路遮断器の開閉接触子を開閉操作する電磁石及び過電流が流れたとき自動的に前記開閉接触子を開路する過電流保護機能を収納したこととしているため、多数のモータを制御できる配電盤を構成できる。
【０００９】
【発明の実施の形態】
本発明の実施の形態を，図１ないし図６に示されている実施例において説明する。図１を参照して，本実施例の遮断器取付ユニット１に取り付けられる回路遮断器２は，特開平２−１３６０７９号公報や特開平０４−０７５２２７号公報に示されているように内部に開閉接触子を含み，この開閉接触子を操作する電磁石，過電流が流れたとき開閉接触子を開離させる過電流引外し装置などを内蔵しているが，本回路遮断器の内部構成は本発明の主要部分ではないためその図示と説明を省略する。上述の公報には開示されていないが、本実施例に使用されている回路遮断器２は，プラグイン接続方式であって後述するベース端子３及びベース端子４に差し込んで接触する電源側端子５及び負荷側端子６を裏面に備え，表面には過電流引外し装置が動作したあとリセットする機能などを有する回転式のハンドル７や回路を流れる電流値などを表示する液晶ディスプレイ８を表面に備えている。
【００１０】
図２ないし図４は，三相回路に使用される３台の回路遮断器を装着できる本実施例による遮断器取付ユニット１を示している。この遮断器取付ユニット１は，絶縁物からなるベース９とカバー１０とからなるベース部材，ベース部材の底部に取り付けられた三相分一組の３個の主分岐導体１１，ベース９の底部に設けられた孔９ａ，  孔９ａの部分で主分岐導体１１にねじによってそれぞれ２個取り付けられた差込式接触子１２、差込接触子の対向する接触子１２ａ，１２ａを互いに近づく方向に付勢する図示されていないばね，３台の回路遮断器２の電源側端子５と接触するベース９の表面に設けられた９個の電源側のベース端子３，一端がリベットによって主分岐導体１１に接続され他端にベース端子３が取り付けられた従分岐導体１３，  ３台の回路遮断器２の負荷側端子６と接触する９個の負荷側のベース端子４，ねじによってベース端子４が取り付けられた端子ねじ１４を有する端子板１５及び後述する配電盤の電源導体２０が入り込むスリット１７ａを有し差込式接触子１２を個々に囲むようにベース９の背面に取り付けられた絶縁カバー１７を有する。上述のベース端子３及び４は、それらの取付面から先端部に向けてそれぞれ複数の接触片３ａ及び４ａに分割されており、正面から見たとき複数の接触片の先端は共同して環状に形成され、複数の接触片３ａ、４ａの先端を環の中心方向に付勢するばね１６が取り付けられている。このため回路遮断器２の電源側端子５や負荷側端子６が差し込まれても安定した接触を保てる。なお，カバー１０はベース端子３，ベース端子４，端子板１５，端子ねじ１４が表面に露出するように取り付けられる。
【００１１】
図５及び図６は，この上述した遮断器取付ユニット１を４台縦に配置した実施例の配電盤を示している。この配電盤は内部の奥には、上下に延びる三相一組分の３本の電源導体２０が正面から見たとき左右方向に並べて配置されている。この電源導体２０は上から見たとき断面がＬ字状であり，その一辺が取付辺となり他辺が差込式接触子１２との接触辺となっている。この配電盤の表面のパネル面にはハンドル７や液晶ディスプレイ８が露出する構造となっている。遮断器取付ユニット１は，電源導体２０の接触辺の厚みより対向間隔が狭い接触子１２ａと接触子１２ａの間隔を広げるように配電盤の表面側から奥に挿入し，ねじ２１によって構造部材２２に固定するだけで簡単に取り付けることができる。また，一つの遮断器取付ユニット１には３台の回路遮断器２が装着され，電源導体２０，差込式接触子１２，主分岐導体１１，従分岐導体１３，ベース端子３，回路遮断器２，ベース端子４，端子板１５及び端子板１５に接続される電線２３を介して電路負荷機器に電力が供給される。すなわち，この配電盤の場合，左右方向に３列，縦方向に４列の合計１２台の回路遮断器２によって１２個の電路負荷機器を制御できる。プラグイン接続式の回路遮断器２を保守点検するときは，他の回路の電路負荷機器を停電させることなく保守の対象となる回路遮断器２だけを遮断器取付ユニット１から取り外せる。
【００１２】
【発明の効果】
本発明は，以上説明した形態で実施され，上下方向に延び左右方向に並んだ一組の電源導体に接続可能なベース部材の背面に設けられた一組の差込式接触子と，左右方向に並べて配置される複数台の回路遮断器の端子と接続するベース部材の表面に設けられたベース端子と，一組の差込式接触子とベース端子を接続する分岐導体を設けることとし，一組の電源導体で，高さ方向に関して遮断器１台分の高さのスペースに複数台の遮断器を左右方向に配置できるため，多数の回路遮断器を収納できる高さの低い配電盤を最少の電源導体で構成できる遮断器取付ユニット及びこの遮断器取付ユニットを取り付けた配電盤を提供できるという効果を奏する。
【図面の簡単な説明】
【図１】本発明による遮断器取付ユニットの実施例に取り付け可能な回路遮断器の（ａ）正面図及び（ｂ）側面図である。
【図２】本発明による遮断器取付ユニットの実施例の正面図であって一部を破断した図である。
【図３】本発明による遮断器取付ユニットの実施例の平面図であって一部を破断した図である。
【図４】本発明による遮断器取付ユニットの実施例の側面図であって一部を破断した図である。
【図５】図２の遮断器取付ユニットを装着した配電盤の（ａ）外観正面図及び（ｂ）内部側面図である。
【図６】図５の配電盤の内部を示す平面図である。
【符号の説明】
１  遮断器取付ユニット
２  回路遮断器
３，４  ベース端子，  ３ａ，４ａ  接触片
５  電源側端子
６  負荷側端子
７  ハンドル
８  液晶ディスプレイ
９  ベース，  ９ａ  孔
１０  カバー
１１  主分岐導体
１２  差込式接触子，  １２ａ  接触子
１３  従分岐導体
１４  端子ねじ
１５  端子板
１６  ばね
１７  絶縁カバー，  １７ａ  スリット
２０  電源導体
２１  ねじ
２２  構造部材
２３  電線
【図１】
2004312837.tif 000003
【図２】
2004312837.tif 000004
【図３】
2004312837.tif 000005
【図４】
2004312837.tif 000006
【図５】
2004312837.tif 000007
【図６】
2004312837.tif 000008